(57)【要約】【課題】３軸調整を容易且つ効率的に行うことができる光源装置を提供する。【解決手段】装置フレーム１０１の一面側には光源としての半導体レーザが取り付けられており、他面側にはカップリングレンズ保持部材１０２が取り付けられている。カップリングレンズ１０３ａはカップリングレンズ保持部材１０２のＶ字状の溝部１０２ａに当接して収容され、その上面を弾性部材としてのバネ１０４によって押圧されて保持されている。カップリングレンズ保持部材１０２は装置フレーム１０１にネジ１０６ａ、１０６ｂで固定され、ネジ１０６ａ、１０６ｂはカップリングレンズ保持部材１０２に形成された大径の挿通孔を介して装置フレーム１０１に螺合されている。従って、カップリングレンズ保持部材１０２はネジ１０６ａ、１０６ｂを緩めた状態では、装置フレーム１０１の光軸（ｘ方向）に垂直な面１０８に沿って調整移動可能である。【選択図】      図１
2004309902.tif 000002
【特許請求の範囲】
【請求項１】
光源と、これに対応するカップリングレンズを有する光源装置において、
上記カップリングレンズはカップリングレンズ保持部材によって光軸方向に移動可能に保持され、上記カップリングレンズ保持部材は光軸に直交する方向に移動可能に且つ移動可能範囲の任意の位置で固定可能に設けられていることを特徴とする光源装置。
【請求項２】
請求項１記載の光源装置において、
上記光源と上記カップリングレンズ保持部材が、装置フレームの両側にそれぞれ設けられ、上記カップリングレンズ保持部材は光軸に直交する方向に位置調整後に上記装置フレームに固定されることを特徴とする光源装置。
【請求項３】
請求項２記載の光源装置において、
上記カップリングレンズの光軸方向の位置調整と上記カップリングレンズ保持部材の光軸に直交する方向の位置調整が、上記装置フレームにおける上記光源の反対側から共になされることを特徴とする光源装置。
【請求項４】
請求項１記載の光源装置において、
上記カップリングレンズは、上記カップリングレンズ保持部材に弾性部材の押圧力で保持されていることを特徴とする光源装置。
【請求項５】
請求項１記載の光源装置において、
上記カップリングレンズは、該カップリングレンズよりも光軸方向の長さが大きい円筒状部材内に固定され、該円筒状部材を介して上記カップリングレンズ保持部材に保持されていることを特徴とする光源装置。
【請求項６】
請求項１記載の光源装置において、
上記光源、カップリングレンズ、カップリングレンズ保持部材がそれぞれ複数設けられていることを特徴とする光源装置。
【請求項７】
請求項６記載の光源装置において、
上記複数の光源、カップリングレンズ、カップリングレンズ保持部材が同一の部材に固定されていることを特徴とする光源装置。
【請求項８】
請求項６記載の光源装置において、
上記複数のカップリングレンズのうち少なくとも２つのカップリングレンズの光軸が互いに交差するように設けられていることを特徴とする光源装置。
【請求項９】
光源装置により光束を走査する光走査装置において、
上記光源装置が、請求項１乃至８のうちの何れか１つに記載の光源装置であることを特徴とする光走査装置。
【請求項１０】
光走査装置により像担持体に静電潜像を形成する画像形成装置において、
上記光走査装置が請求項９記載の光走査装置であることを特徴とする画像形成装置。
【発明の詳細な説明】
【０００１】
【発明の属する技術分野】
本発明は、光源装置、該光源装置を有する光走査装置、該光走査装置を有する複写機、プリンタ、ファクシミリ、プロッタ等の画像形成装置に関する。
【０００２】
【従来の技術】
デジタル複写機やレーザプリンタ等の画像形成装置においては、像担持体に像（静電潜像）を書き込む像書込装置として光走査装置が用いられている。この光走査装置には、半導体レーザ等の光源、及び光源から発せられた光を所定の平行光または収束光、あるいは発散光としてカップリングするカップリングレンズを有する光源装置が備えられており、その光学特性として、光源装置より射出されるレーザ光の方向性（光軸特性）と光束の平行、収束、発散性（カップリング特性）とが要求される。
このため、発光点とカップリングレンズとの相対位置は３軸（ｘ軸、ｙ軸、ｚ軸）方向に対して、初期調整時及び経時、環境変動時において高い精度を保つことが必要となる。
【０００３】
例えば、カップリングレンズを接着剤を用いて固定すると、硬化収縮や経時、環境変動によるカップリングレンズの位置ずれを生じ、また位置ずれが発生した場合に再調整するのが困難である。
この問題に対処した従来例として、図１０及び図１１に示すような構成の光源装置が挙げられる。この光源装置は、Ｌ字型の当接面６００ａを有するカップリングレンズ保持部６００と、該カップリングレンズ保持部６００が一体に固定されたフランジ部６０１と、該フランジ部６０１にネジにより固定される光源保持部６０２を有する構成となっている。図１１において、符号ａは光軸方向（ｘ方向）における光源保持部６０２の幅を、ｂはフランジ部６０１の幅を、ｃはカップリングレンズ保持部６００の幅をそれぞれ示している。
【０００４】
カップリングレンズ１０３は、カップリングレンズ保持部６００に対して、接着剤を用いずにバネ６０３で押圧することによって保持されるようになっている。バネ６０３はネジ６０４で固定され、ネジ６０４を緩めてカップリングレンズ１０３を光軸方向に移動することにより、光源６０５の発光点とカップリングレンズ１０３間の距離ｍを調整することができる。
【０００５】
【特許文献１】
特開平９−１４６０２４号公報
【０００６】
【発明が解決しようとする課題】
しかしながら上記のような構成では、以下のような問題がある。
上述のように、光源装置の構造体は、大きく分けて光源保持部６０２、フランジ部６０１、カップリングレンズ保持部６００の３つからなる。このような構成では、例えばカップリングレンズ１０３の焦点距離が短い場合など光源６０５とカップリングレンズ１０３の間の距離を短く取りたい場合には、フランジ部６０１や光源保持部６０２の厚さを薄くせざるを得ず、構造体としての剛性が不十分になったり、場合によってはレイアウトができなくなる。
また、光源保持部６０２もカップリングレンズ１０３も３軸方向の精度を保つために位置調整を行わなければならず、光源装置の前後両側から調整操作することになるため、調整構成が大型化し、調整が煩雑となる。
また、カップリングレンズ１０３を直接カップリングレンズ保持部６００のＬ字型の当接面６００ａに当接して保持しているが、レンズ厚が薄い場合（光軸方向の厚みが小さい場合）には安定した保持ができない。
【０００７】
ところで、画像形成装置の出力速度を高めるための主な手段としては、（１）像担持体の移動速度（回転速度）を高める方法と、（２）像担持体を複数用いる方法とがある。
ここで、（１）の方法を用いた場合には、像担持体の移動速度の増加に伴い、像担持体に像を書き込む光走査装置の書込速度を高める必要が生じる。光走査装置の書込速度を高める方法としては、▲１▼偏向手段であるポリゴンスキャナの回転速度を高める、▲２▼書込ビーム数を増やすなどの方法が挙げられる。
しかしながら、▲１▼の方法ではモータの耐久性や騒音、振動、及びレーザの変調スピード等が問題となり限界がある。
▲２▼の方法を実現するためには、複数のレーザビームを出射するマルチビーム光源装置が必要となる。その１つとしては、例えば１パッケージ内に複数の発光点（発光チャンネル）を持つ半導体レーザアレイを用いる方式があるが、製造プロセス上チャンネル数を増加することが困難であり、また熱的、電気的なクロストークの影響を除去することが難しく、短波長化が困難であるといった理由により、現在では高価な光源手段となっている。
【０００８】
また、市場で用いられる個数の影響などにより、１パッケージ内の発光点の数が多いほど、１つのビーム当りのコストが高くなっている。例えば、シングルビームの半導体レーザを４個使うより、１パッケージ内に４つの発光点を持つ半導体レーザアレイを使う方がはるかに高価であるのが現状である。
従って、複数のシングルビーム半導体レーザ（あるいは発光点数の少ないマルチビーム半導体レーザ）を用い、ビームを合成して走査を行う光源装置及び複数ビーム走査装置に関する提案が、従来より行われている。特に、複数ビームを合成する手段としてはプリズムを用いる方法が従来より広く知られているが、反射面に対する要求精度が高いことなどからプリズムは高価である。
【０００９】
プリズムを用いない複数ビーム合成手段として、例えば特開平９−１４６０２４号公報に記載のものが提案されている。しかしながら、特開平９−１４６０２４号公報に記載の技術では、複数の光源及びカップリングレンズを角度を付けて配置するため、必然的に光源やカップリングレンズを当接する面などがそれぞれ傾きを持つこととなり、同公報における図４からもわかるように、光源保持部材またはカップリングレンズ保持部材の形状が非常に複雑となる。
特に、剛性や線膨張係数の関係から焼結材料を用いる場合、焼結という成形法は複雑な形状には向かず、複雑な形状では切削による２次加工を多く必要とし、高コストとなる。
また、上述のような複数のビームによって像担持体上を走査する光走査装置においては、像担持体上における複数のビームスポットの副走査方向の相対位置（ビームスポット間隔）が所定の値からずれると、それが像として周期的に繰り返されることから、周期的な縞が現れる不良画像を生じやすい。
従って、複数の光源と複数のカップリングレンズとの相対位置ずれを小さく抑えることが特に重要となる。
【００１０】
本発明は、３軸調整を容易且つ効率的に行うことができる光源装置、該光源装置を有する光走査装置、該光走査装置を有する画像形成装置の提供を、その主な目的とする。
【００１１】
【課題を解決するための手段】
上記目的を達成するために、請求項１記載の発明では、光源と、これに対応するカップリングレンズを有する光源装置において、上記カップリングレンズはカップリングレンズ保持部材によって光軸方向に移動可能に保持され、上記カップリングレンズ保持部材は光軸に直交する方向に移動可能に且つ移動可能範囲の任意の位置で固定可能に設けられている、という構成を採っている。
【００１２】
請求項２記載の発明では、請求項１記載の光源装置において、上記光源と上記カップリングレンズ保持部材が、装置フレームの両側にそれぞれ設けられ、上記カップリングレンズ保持部材は光軸に直交する方向に位置調整後に上記装置フレームに固定される、という構成を採っている。
【００１３】
請求項３記載の発明では、請求項２記載の光源装置において、上記カップリングレンズの光軸方向の位置調整と上記カップリングレンズ保持部材の光軸に直交する方向の位置調整が、上記装置フレームにおける上記光源の反対側から共になされる、という構成を採っている。
【００１４】
請求項４記載の発明では、請求項１記載の光源装置において、上記カップリングレンズは、上記カップリングレンズ保持部材に弾性部材の押圧力で保持されている、という構成を採っている。
【００１５】
請求項５記載の発明では、請求項１記載の光源装置において、上記カップリングレンズは、該カップリングレンズよりも光軸方向の長さが大きい円筒状部材内に固定され、該円筒状部材を介して上記カップリングレンズ保持部材に保持されている、という構成を採っている。
【００１６】
請求項６記載の発明では、請求項１記載の光源装置において、上記光源、カップリングレンズ、カップリングレンズ保持部材がそれぞれ複数設けられている、という構成を採っている。
【００１７】
請求項７記載の発明では、請求項６記載の光源装置において、上記複数の光源、カップリングレンズ、カップリングレンズ保持部材が同一の部材に固定されている、という構成を採っている。
【００１８】
請求項８記載の発明では、請求項６記載の光源装置において、上記複数のカップリングレンズのうち少なくとも２つのカップリングレンズの光軸が互いに交差するように設けられている、という構成を採っている。
【００１９】
請求項９記載の発明では、光源装置により光束を走査する光走査装置において、上記光源装置が、請求項１乃至８のうちの何れか１つに記載の光源装置である、という構成を採っている。
【００２０】
請求項１０記載の発明では、光走査装置により像担持体に静電潜像を形成する画像形成装置において、上記光走査装置が請求項９記載の光走査装置である、という構成を採っている。
【００２１】
【発明の実施の形態】
以下、本発明の第１の実施形態を図１乃至図６に基づいて説明する。
まず、図６に基づいて本実施形態における画像形成装置の構成の概要を説明する。本実施形態で示す画像形成装置１は、４つの像担持体としての感光体ドラム２Ｙ、２Ｍ、２Ｃ、２Ｋを転写体としての中間転写ベルト３の移動方向に沿って配列し、順次異なる色のトナー像を転写することでカラー画像を形成するいわゆるタンデム型のカラープリンタである。
感光体ドラム２Ｙの周囲には、感光体ドラム２Ｙを一様に帯電する帯電チャージャ４Ｙと、光走査装置１０から射出されたレーザビーム５Ｙにより記録された静電潜像に帯電したトナー（イエロー）を付着して顕像化する現像装置６Ｙと、中間転写ベルト３への転写後感光体ドラム２Ｙに残ったトナーを掻き取り備蓄するクリーニング装置７Ｙ等が配置されており、これらによりイエロー画像を形成するための画像形成ステーションが構成されている。
【００２２】
上記した画像形成ステーションは中間転写ベルト３の移動方向に並列配置され、イエロー（Ｙ）、マゼンタ（Ｍ）、シアン（Ｃ）、ブラック（Ｋ）のトナー画像が中間転写ベルト３上にタイミングを合わせて図示しない１次転写手段により順次転写され、重ね合わされてカラー画像が形成される。各画像形成ステーションはトナー色が異なるだけで、基本的には同一構成である。他の画像形成ステーションについては各符号にＭ、Ｃ、Ｋを付記して説明は省略する。
中間転写ベルト３は、駆動ローラ８、２次転写対向ローラ９、テンションローラ１１間に掛け回されて支持されている。
【００２３】
画像形成装置本体の下部にはシート状記録媒体としての用紙１２が積載収容される給紙トレイ１３が設けられている。用紙１２は給紙トレイ１３から給紙コロ１４により１枚ずる分離されて給紙され、レジストローラ対１５により斜めずれを修正された後副走査方向の記録開始のタイミングに合わせて送り出され、２次転写手段１６により中間転写ベルト３よりカラー画像を転写される。
カラー画像を転写された用紙１２は定着装置１７に送られ、ここで熱と圧力を加えられてトナー画像を定着される。定着された用紙１２は、排紙ローラ対１８により画像形成装置本体上面に形成された排紙トレイ１９へ排出される。
【００２４】
図５は１つの感光体ドラム２に対する光走査装置１０の関係構成を示す図である。図５に示すように、光走査装置１０における２つの光源装置２０Ａはそれぞれ、半導体レーザ２０１ａと、カップリングレンズ１０３ａ、別の感光体ドラムを露光する半導体レーザ２０１ｂと、カップリングレンズ１０３ｂを有し、且つ平行四辺形部と台形部とからなる合成プリズム２１を有している。
半導体レーザ２０１ａと半導体レーザ２０１ｂからの光ビームはカップリングレンズ１０３ａ、１０３ｂにて平行光束に変換された後、合成プリズム２１の同じ面から入射され、半導体レーザ２０１ａからの光ビームはそのまま透過し、半導体レーザ２０１ｂからの光ビームは平行四辺形部の平行な反射面対で反射され近接されて副走査方向に所定の収束角をもって射出される。
【００２５】
各光ビームは一旦交差された後、シリンダレンズ２２の中心軸から偏心した位置を通過し、副走査方向に所定の間隔をもって平行なビームとされ、副走査方向に光軸を変更する光軸可変手段としての可動ミラーモジュール２３を介してポリゴンミラー２４に入射される。ポリゴンミラー２４で偏向された光ビームは主走査方向にのみパワーを有する短冊状のｆθレンズ２５、折り返しミラー２６、２７を介し、ポリゴン面倒れ補正機能を有するトロイダルレンズ２８により感光体ドラム２面上にスポット状に結像される。
本実施形態では、上記したようにｆθレンズ２５から射出する光ビームが上下に所定間隔離していることで、各半導体レーザ２０１ａ、２０１ｂよりの光ビームを分離し、別々の感光体ドラムに折り返しミラー２６、２７により導くことができる。図中、半導体レーザ２０１ｂからの光ビームの光路は図５中では、省略してある。
【００２６】
各光走査部には、画像記録領域の走査開始側と走査終端側とに光検出手段としての同期検知センサ２９、終端検知センサ３０が配置されている。主走査方向の書き込み開始のタイミングを同期検知センサ２９で、また、双方のセンサ間の走査時間を計測することで、画像幅（全幅倍率）の変化を検出し、半導体レーザを変調する画周波数を検出された画像幅の変化に対して反比例倍して画像幅を一定に保っている。図５において符号、３１、３２はミラーを示す。
【００２７】
次に、図１乃至図３に基づいて、一方の光源装置２０Ａの構成を代表して詳細に説明する。
図１を裏側から見た図が図２である。図２に示すように、光源である半導体レーザ２０１ａは装置フレーム１０１の略中央に貫通して形成された穴１０１ｂ（図３）に収容され、バネ板２０２により装置フレーム１０１に押圧固定されている。バネ板２０２はネジ２０３により装置フレーム１０１に固定されている。
装置フレーム１０１は光源装置２０Ａのメインフレーム（主構造体）であり、例えばこの光源装置２０Ａを光走査装置１０の図示しない筐体に取り付けるときには、図１に示すように、装置フレーム１０１に形成された４つのボス部１０９を筐体に当接して固定する。従って、この装置フレーム１０１には変形や振動に強い高い剛性が要求される。図２において符号１０９ａはボス部１０９に対応した固定用孔を示す。
図１において、カップリングレンズ１０３ａはカップリングレンズ保持部材１０２のＶ字状の溝部１０２ａに当接して収容され、その上面を弾性部材としてのバネ１０４によって押圧されて保持されている。
【００２８】
バネ１０４の基端部はカップリングレンズ保持部材１０２にネジ１０７により固定されており、ネジ１０７を緩めてバネ１０４の押圧力を解除または弱めると、カップリングレンズ１０３ａはＶ字状の溝部１０２ａに沿って光軸方向（ｘ方向）に移動可能となる。
従って半導体レーザ２０１ａとカップリングレンズ１０３ａとの距離を調整することで、カップリングレンズ１０３ａより射出される光束を例えば平行光束にするなどの調整が可能である。
カップリングレンズ保持部材１０２は装置フレーム１０１にネジ１０６ａ、１０６ｂで固定されている。図３に示すように、カップリングレンズ保持部材１０２にはネジ１０６ａ、１０６ｂの軸部より大径の挿通孔１０２ｂが形成されており、ネジ１０６ａ、１０６ｂは挿通孔１０２ｂを介して装置フレーム１０１に形成されたネジ孔１０１ａに螺合される。
【００２９】
従って、カップリングレンズ保持部材１０２はネジ１０６ａ、１０６ｂを緩めた状態では、装置フレーム１０１の光軸（ｘ方向）に垂直な面１０８に沿って、ネジ１０６ａ、１０６ｂの軸径と挿通孔１０２ｂの径間の差分移動可能であり、これにより半導体レーザ２０１ａとカップリングレンズ１０３ａとの光軸に垂直なｙ、ｚ方向の相対位置調整を行うことができる。
この２つの調整により、半導体レーザ２０１ａとカップリングレンズ１０３ａとのｘ、ｙ、ｚの３軸方向の相対位置を高精度に調整することができる。
本実施形態では、この２つの調整がいずれも装置フレーム１０１における半導体レーザ２０１ａの反対側（図１の正面側）から行うことができることから、調整要素をコンパクトに配置でき、また調整作業を効率良く行うことができる。
図１及び図３において、符号１０１ｃはネジ２０３に対するネジ孔を示している。また、図３において、符号１０４ａはネジ１０７の挿通孔を、符号１０２ｃはネジ１０７に対するネジ孔を、２０２ａはバネ板２０２の押え部を、２０２ｂはネジ２０３の挿通孔をそれぞれ示している。
【００３０】
図３から明らかなように、本実施形態では、装置フレーム１０１もカップリングレンズ保持部材１０２も非常に簡単な構造となり、低コストにて成形可能となる。焼結材料にて成形する場合にも切削による２次加工はあまり必要無く、やはり低コストにて成形可能である。
また、図２に示すように、装置フレーム１０１に半導体レーザ２０１ａを直接当接して固定することにより、図４に示すように、図１１で示した従来例よりもカップリングレンズ１０３ａと半導体レーザ２０１ａ間のレイアウトに余裕が生じる。すなわち、幅ｂについては装置フレーム１０１の剛性が担うので、考慮する必要がない。
【００３１】
上述のようにカップリングレンズ１０３ａの光軸方向の位置を調整した後はカップリングレンズ１０３ａをＶ字状の溝部１０２ａに対して接着剤により接着固定する方法もあるが、接着剤を用いずに調整後にネジ１０７を締めたり、増し締めしたりすることによりカップリングレンズ１０３ａを固定するようにすれば、例えば光軸（ｘ）方向の位置調整後にｙ、ｚ方向の位置調整を行ったことによって光軸方向の位置が若干ずれてしまったような場合にもネジ１０７を再度緩めることで光軸方向の位置の再調整が可能となる。
【００３２】
次に、図７に基づいて第２の実施形態を説明する。なお、上記実施形態と同一部分は同一符号で示し、特に必要がない限り既にした構成上及び機能上の説明は省略して要部のみ説明する（以下の他の実施形態において同じ）。
本実施形態における光源装置２０Ｂでは、カップリングレンズ１０３ａの光軸方向の厚みが薄い場合でも安定した保持ができるようにすることを目的としている。
厚みの薄いカップリングレンズ４０２は、該カップリングレンズ４０２よりも光軸方向の長さが大きい円筒状部材としてのセル４０１内に収容されて固定され、該セル４０１が上記実施形態におけるカップリングレンズ１０３ａと同様にカップリングレンズ保持部材４０３のＶ字状の溝部４０３ａに保持されている。
カップリングレンズ４０２はセル４０１に対して、接着したり、あるいはネジを切ったリングで締め付けるなどの手法により固定されている。このような構成によれば、Ｖ字状の溝部４０３ａにおける実質的な押圧保持対象はセル４０１となり、カップリングレンズ４０２の厚さは無関係となるので、レンズ厚が薄いような場合にもカップリングレンズ４０２を安定して保持することができる。
【００３３】
次に、図８及び図９に基づいて第３の実施形態を説明する。本実施形態では、マルチビーム方式における構成の簡易化、低コスト化を図ることを目的としている。
本実施形態における光源装置２０Ｃは、図９に示すように、２つの半導体レーザ５０５ａ、５０５ｂとこれに対応する２つのカップリングレンズ５０３ａ、５０３ｂを用いたマルチビーム方式である。
図８に示すように、２つのカップリングレンズ５０３ａ、５０３ｂはそれぞれカップリングレンズ保持部材５０２ａ、５０２ｂによって保持されている。符号５０２ａ―１、５０２ｂ−１はＶ字状の溝部を示している。また、５０１ａ、５０１ｂ、５０１ｃはそれぞれ第１の実施形態における１０１ａ、１０１ｂ、１０１ｃに対応している。
ここで、装置フレーム５０１は互いにある角度を持った面（光軸に垂直な面）５０４ａ、５０４ｂを有し、上述のカップリングレンズ保持部材５０２ａ、５０２ｂはそれぞれこの面５０４ａ、５０４ｂに沿ってｙ１−ｚ、ｙ２−ｚ方向の位置を調整した後、固定される。
【００３４】
装置フレーム５０１は裏側にも面５０４ａ、５０４ｂにそれぞれ平行な面を有し、半導体レーザ５０５ａ、５０５ｂはそれぞれこの裏側の面に固定される。このように２つの半導体レーザ５０５ａ、５０５ｂを同一部材である装置フレーム５０１に固定するため、環境変動等によっても少なくとも２つの半導体レーザ５０５ａ、５０５ｂの相対位置はずれにくい。
このような構成によれば、カップリングレンズ５０３ａ、５０３ｂからそれぞれ射出される２本の光束を、面５０４ａ、５０４ｂの傾きに従って交差させることによって合成することができる。また、図９に示すように、光源装置２０Ｃを構成する部品であるカップリングレンズ保持部材５０２ａ、５０２ｂおよび装置フレーム５０１は非常に簡単な構造となり、簡易な構成のマルチビーム光源装置を実現できる。
なお、本実施形態における半導体レーザには１つのパッケージ内に複数の発光点を持つような半導体レーザアレイを用いても良い。
【００３５】
【発明の効果】
請求項１、９又は１０記載の発明によれば、光源と、これに対応するカップリングレンズを有する光源装置において、上記カップリングレンズはカップリングレンズ保持部材によって光軸方向に移動可能に保持され、上記カップリングレンズ保持部材は光軸に直交する方向に移動可能に且つ移動可能範囲の任意の位置で固定可能に設けられている構成としたので、ｘ、ｙ、ｚの３軸方向の調整を容易に行うことができ、経時的位置ずれにも対応でき、高い位置精度を保つことができる。
【００３６】
請求項２、９又は１０記載の発明によれば、請求項１記載の光源装置において、上記光源と上記カップリングレンズ保持部材が、装置フレームの両側にそれぞれ設けられ、上記カップリングレンズ保持部材は光軸に直交する方向に位置調整後に上記装置フレームに固定される構成としたので、カップリングレンズと光源との間のレイアウトの自由度が増し、焦点距離が短いカップリングレンズにも対応できる。部品単体構造も簡単になるので、例えば焼結材料でも切削による２次加工があまり必要なく、低コストを実現できる。
【００３７】
請求項３、９又は１０記載の発明によれば、請求項２記載の光源装置において、上記カップリングレンズの光軸方向の位置調整と上記カップリングレンズ保持部材の光軸に直交する方向の位置調整が、上記装置フレームにおける上記光源の反対側から共になされる構成としたので、調整構成をコンパクトに配置でき、調整作業を効率良く行うことができる。
【００３８】
請求項４、９又は１０記載の発明によれば、請求項１記載の光源装置において、上記カップリングレンズは、上記カップリングレンズ保持部材に弾性部材の押圧力で保持されている構成としたので、経時的位置ずれに対する調整や再調整を容易に行うことができる。
【００３９】
請求項５、９又は１０記載の発明によれば、請求項１記載の光源装置において、上記カップリングレンズは、該カップリングレンズよりも光軸方向の長さが大きい円筒状部材内に固定され、該円筒状部材を介して上記カップリングレンズ保持部材に保持されている構成としたので、カップリングレンズが薄い場合でも安定した保持ができ、カップリングレンズの厚みに拘わらず高い光軸精度を得ることができる。
【００４０】
請求項６、９又は１０記載の発明によれば、請求項１記載の光源装置において、上記光源、カップリングレンズ、カップリングレンズ保持部材がそれぞれ複数設けられている構成としたので、マルチビーム光源装置を簡単な構成で低コストに実現できる。
【００４１】
請求項７、９又は１０記載の発明によれば、請求項６記載の光源装置において、上記複数の光源、カップリングレンズ、カップリングレンズ保持部材が同一の部材に固定されている構成としたので、複数の光源の相対的な位置ずれが生じにくく、ピッチ変動の発生を高精度に抑制できる。
【００４２】
請求項８、９又は１０記載の発明によれば、請求項６記載の光源装置において、上記複数のカップリングレンズのうち少なくとも２つのカップリングレンズの光軸が互いに交差するように設けられている構成としたので、交差方式によりプリズムを不要にでき、且つ簡単な構成となるため、非常に低コストなマルチビーム光源装置を提供できる。
【図面の簡単な説明】
【図１】本発明の第１の実施形態における光源装置の斜視図である。
【図２】光源装置の背面側からの斜視図である。
【図３】光源装置の分解斜視図である。
【図４】光源装置の断面図である。
【図５】光走査装置の一部を示す斜視図である。
【図６】画像形成装置としてのカラープリンタの概要正面図である。
【図７】第２の実施形態における光源装置の斜視図である。
【図８】第３の実施形態における光源装置の斜視図である。
【図９】第３の実施形態における光源装置の分解斜視図である。
【図１０】従来例における光源装置の要部斜視図である。
【図１１】従来例における光源装置の断面図である。
【符号の説明】
２  像担持体としての感光体ドラム
１０  光走査装置
２０Ａ、２０Ｂ、２０Ｃ  光源装置
１０１、５０１  装置フレーム
１０２、４０３、５０２ａ、５０２ｂ  カップリングレンズ保持部材
１０３ａ、１０３ｂ、４０２、５０３ａ、５０３ｂ  カップリングレンズ
１０４  弾性部材としてのバネ
２０１ａ、２０１ｂ  光源としての半導体レーザ
４０１  円筒状部材内としてのセル
【図１】
2004309902.tif 000003
【図２】
2004309902.tif 000004
【図３】
2004309902.tif 000005
【図４】
2004309902.tif 000006
【図５】
2004309902.tif 000007
【図６】
2004309902.tif 000008
【図７】
2004309902.tif 000009
【図８】
2004309902.tif 000010
【図９】
2004309902.tif 000011
【図１０】
2004309902.tif 000012
【図１１】
2004309902.tif 000013